(57)【要約】【課題】抗張力性、及び、抗圧縮力性に優れ、曲げ易く、末端加工が容易なケーブルを得ることのできるテンションメンバ、これを用いたケーブル及びＨＤＴＶ方式カメラ用ケーブルを提供する。【解決手段】金属線及び繊維強化プラスチック線から選択される硬質線１１と、エンジニアプラスチック繊維からなる軟質線１２とを、樹脂１３で一括に被覆してなるテンションメンバ１０、これを用いたケーブル及びＨＤＴＶ方式カメラ用ケーブル。【選択図】　図１
2004014263.tif 000002
【特許請求の範囲】
【請求項１】
金属線及び繊維強化プラスチック線から選択される硬質線と、エンジニアプラスチック繊維からなる軟質線とを、樹脂で一括に被覆してなるテンションメンバ。
【請求項２】
前記硬質線の外周に前記軟質線からなる軟質層を設け、該軟質層を前記樹脂で被覆してなる請求項１に記載のテンションメンバ。
【請求項３】
前記硬質線と前記軟質線とが、前記樹脂により並設配置された請求項１に記載のテンションメンバ。
【請求項４】
前記エンジニアプラスチック繊維がアラミド繊維である請求項１〜３のいずれかに記載のテンションメンバ。
【請求項５】
請求項１〜４のいずれかに記載のテンションメンバと伝送線とが組み合わされてなるケーブル。
【請求項６】
前記伝送線として被覆光ファイバ心線を有する請求項５に記載のケーブル。
【請求項７】
請求項１〜４のいずれかに記載のテンションメンバの外周に沿って、被覆光ファイバ心線と、電源線と、制御線とを、配設してなるＨＤＴＶ方式カメラ用ケーブル。
【発明の詳細な説明】
【０００１】
【発明の属する技術分野】
本発明は、テンションメンバ、これを用いたケーブル及びＨＤＴＶ方式カメラ用ケーブルに関する。
【０００２】
【従来の技術】
従来より、各種ケーブルにおいて強度機能を担う手段としてテンションメンバとして称する部材が用いられている。このテンションメンバの利用形態としては、例えば、テンションメンバの外周に沿って、被覆光ファイバ心線を配設し、樹脂で一括に被覆してなるケーブルが知られている。テンションメンバは、ケーブル配線時などに発生する長手方向の引張り力、及び、圧縮力から被覆光ファイバ心線を保護したり（これらの力に対する耐性を、以下、それぞれ、抗張力性、抗圧縮力性ともいう）、配線中又は後においてケーブルを所望の形状に保持する機能を有している。
【０００３】
テンションメンバとしては、図４の概略断面図に示すように、鋼線２１を樹脂２３で被覆してなるテンションメンバ２０が広く知られている。鋼線は、伸びの小さい材料であるので、ケーブルの抗張力性、及び、抗圧縮力性を優れたものにできる。鋼線を樹脂で被覆してなるテンションメンバのケーブルへの適用例としては、ＡＲＩＢ規格に準拠したＨＤＴＶ方式カメラ用ケーブルなどを挙げることができる。
【０００４】
また、テンションメンバとしては、繊維強化プラスチック（ＦＲＰ）を樹脂で被覆してなるものが知られている。ＦＲＰの具体例としては、アラミド繊維をプラスチック材料で強化したアラミド繊維強化プラスチックロッド（特開２００１−３３０７６５公報参照）などが知られている。ＦＲＰは、鋼線と同様に伸びの小さい材料であり、また、一般に、鋼線と比較して軽量である。よって、鋼線に代えてＦＲＰを使用すれば、抗張力性、及び、抗圧縮力性に優れるのみならず、ケーブルを軽量化できる。
【０００５】
【発明が解決しようとする課題】
しかしながら、ケーブルに対して抗張力性を付与できる鋼線あるいはＦＲＰを使用する場合であっても、充分な抗張力性を得るためにはテンションメンバの外径を一定以上に設定する必要があり、ケーブルの剛性は非常に高くなる。よって、ケーブルの不使用時にケーブルを巻回して収納スペースの低減を図ろうとしたり、ケーブルの使用時にケーブルの余長を巻回して短縮し、取り扱い易くしようとしても、ケーブルの巻回状態を保持するのは難しい。
【０００６】
本発明は、前記した問題点を鑑みてなされたものであって、その目的は、抗張力性、及び、抗圧縮力性に優れ、曲げ易く、末端加工が容易なケーブルを得ることのできるテンションメンバ、これを用いたケーブル及びＨＤＴＶ方式カメラ用ケーブルを提供することにある。
【０００７】
【課題を解決するための手段】
前記した目的を達成するために、請求項１に係るテンションメンバは、金属線及び繊維強化プラスチック（ＦＲＰ）線から選択される硬質線と、エンジニアプラスチック繊維からなる軟質線とを、樹脂で一括に被覆してなる。
一般に、エンジニアプラスチック繊維からなる線は、金属線やＦＲＰ線と同等あるいはそれ以上に、長手方向の引張り力に対して耐性が高く、また、繊維によって構成されているので可撓性が非常に高い（本明細書においては、この特性を鑑みて、エンジニアプラスチック繊維からなる線を軟質線ともいう）。
【０００８】
よって、請求項１の構成によれば、引張り力に対して耐性が高い軟質線が存在することによって、充分な抗張力性を確保するために必要とされた硬質線（金属線またはＦＲＰ線）の外径を低減できる。すなわち、硬質線の外径の低減と、高い可撓性を有する軟質線の存在とによって、抗張力性、及び、抗圧縮力性に優れるのみならず、曲げ易いケーブルを作製できる。
【０００９】
また、請求項１の構成によれば、硬質線と軟質線とが樹脂で一括に被覆されて、硬質線と軟質線とが一体的に固定されるので、テンションメンバに外力が加わった時に、硬質線と軟質線とが実質的な一体物として機能できる。これにより、テンションメンバの許容張力は、硬質線の許容張力と軟質線の許容張力との和に近い値となるので、各線の抗張力性が反映された充分な抗張力性を有するテンションメンバとすることができる。
また、硬質線と軟質線とが樹脂で一括に被覆されていることにより、ケーブルをテンションメンバと伝送線との組体として取り扱うことができる。よって、これらが組み合わされたケーブルの末端を、他の通信機器等に接続するべく加工する場合、テンションメンバを伝送線から容易に遠ざけることによって、あるいは、テンションメンバを所定距離で切断することによって、硬質線及び軟質線からなる領域と、伝送線の領域とを容易に隔離できる。また、テンションメンバの構造体への引き留め作業が一括して容易に実施できる。このように、硬質線及び軟質線に阻害されることなく、伝送線の末端加工を容易に実施できる。
【００１０】
請求項２に係るテンションメンバは、請求項１の構成を前提としており、硬質線の外周に軟質線からなる軟質層を設け、軟質層を樹脂で被覆してなる。硬質線の外周に軟質層が設けられており、どの方向に向けて曲げようとしても、硬質線の内側及び外側には可撓性の高い軟質層が配置されているので、曲げ方向に関わらず曲げ易いケーブルを作製できる。
【００１１】
請求項３に係るテンションメンバは、請求項１の構成を前提としており、硬質線と軟質線とが、樹脂により並設配置されている。このような構成によれば、硬質線と軟質線とが並設配置され、硬質線からなる領域と軟質線からなる領域とを隔離できるので、硬質線と軟質線の特質に合わせた末端加工を別々に実施することが容易である。
【００１２】
請求項４に係るテンションメンバは、エンジニアプラスチック繊維がアラミド繊維である。このような構成によれば、抗張力性、及び、抗圧縮力性に優れ、曲げ易く、末端加工が容易なケーブルを確実に得ることができる。
【００１３】
請求項５に係るケーブルは、本発明に係るテンションメンバと伝送線とが組み合わされてなる。本発明に係るテンションメンバは、硬質線と軟質線とが樹脂で一括に被覆されて、硬質線と軟質線とが一体的に固定されるので、硬質線と軟質線とが実質的な一体物として機能できる。これにより、本発明に係るテンションメンバの許容張力は、硬質線の許容張力と軟質線の許容張力との和に近い値となって、テンションメンバは充分な抗張力性を有するので、ケーブルを構成する伝送線を確実に保護できる。
しかしながら、例えば、硬質線と軟質線とが互いに拘束されていない場合は、硬質線あるいは軟質線のどちらか一方に、各線の許容張力を超える力が加わる虞れがあり、ケーブルに外力が加えられる際に、伝送線に対する負荷による断線等の不具合（特に、伝送線が光ファイバの場合には、外力負荷に伴った変形による伝送損失の増大）が生じやすい。
以上により、硬質線と軟質線とが一体的に固定されたテンションメンバが使用された請求項５に係るケーブルは、抗張力性、及び、抗圧縮力性に優れ、曲げ易く、末端加工が容易である。
【００１４】
請求項６に係るケーブルは、伝送線として被覆光ファイバ心線を有する。被覆光ファイバ心線としては、ガラスファイバを樹脂で被覆してなる線が広く知られている。通常、ガラスファイバの強度は高く、樹脂によって外圧から保護されてはいるものの、被覆光ファイバ心線が過度の外圧もしくは過度の曲げを受けると、ガラスファイバの意図しない変形によって、光伝送特性が劣化し、最悪破断する虞れが生じる。
しかしながら、請求項６に係るケーブルによれば、本発明に係るテンションメンバが使用されており、抗張力性、及び、抗圧縮力性に優れているので、被覆光ファイバ心線に過度の外圧を与えることなく、なおかつ、適度に曲げ易く、末端加工が容易なケーブルとすることができる。
【００１５】
請求項７に係るＨＤＴＶ方式カメラ用ケーブルは、本発明に係るテンションメンバの外周に沿って、被覆光ファイバ心線と、電源線と、制御線とを、配設してなる。
通常、ＨＤＴＶ方式カメラ用ケーブルは、接続されるテレビカメラの移動に伴って、張力や圧縮力を頻繁に受ける。請求項７に係るＨＤＴＶ方式カメラ用ケーブルは、本発明に係るテンションメンバが使用されており、抗張力性、及び、抗圧縮力性に優れているので、被覆光ファイバ心線、電源線、及び、制御線が、断線を引き起こす虞れはない。
【００１６】
また、請求項７に係るＨＤＴＶ方式カメラ用ケーブルは、本発明に係るテンションメンバが使用されることにより曲がり易いことから、ケーブルがテレビカメラの移動に対して柔軟に追従でき、カメラマンの作業性を良好なものにできる。さらに、ケーブルの巻回状態を維持しやすいので、巻回によるサイズの低減化が容易である。よって、ＨＤＴＶ方式カメラ用ケーブルを使用しない場合などにおいて、ケーブルの両端の接続を解除し、ケーブルを巻回状態で保管をすることを容易に実施できる。
また、ＨＤＴＶ方式カメラ用ケーブルは、取り扱い上の観点から、カメラや通信機器に対して脱着可能とされるのが好ましい。よって、通常、ＨＤＴＶ方式カメラ用ケーブルには、コネクタの取り付けに代表される末端加工が施される。ここで、請求項７に係るＨＤＴＶ方式カメラ用ケーブルは、本発明に係るテンションメンバが使用されているので、被覆光ファイバ心線、電源線、及び、制御線からなるそれぞれの領域と、テンションメンバの硬質線及び軟質線からなる領域とを容易に隔離できる。よって、テンションメンバ、被覆光ファイバ心線、電源線、及び、制御線のそれぞれにおける末端加工を容易に実施できる。
【００１７】
【発明の実施の形態】
以下に本発明の実施形態を例示するが、本発明は、以下の実施形態に限定されるものではない。
【００１８】
本発明の実施形態に係るテンションメンバは、金属線及びＦＲＰ線から選択される硬質線と、エンジニアプラスチック繊維からなる軟質線とを、樹脂で一括に被覆してなる。ここで、エンジニアプラスチック繊維からなる線は、金属線やＦＲＰ線と同等あるいはそれ以上に、長手方向に対して耐性が高い。
【００１９】
本発明の第一実施形態に係るテンションメンバ１０は、図１の概略断面図に示すように、硬質線１１の外周に軟質線１２からなる軟質層を設け、軟質層を樹脂１３で被覆してなる。
このような構成によれば、引張り力に対して耐性が高い軟質線１２からなる軟質層が存在することによって、充分な抗張力性を確保するために必要とされた鋼線２１（硬質線）の外径ｄｍ（図４参照）を外径Ｄ１ｍに低減できる（Ｄ１ｍ＜ｄｍ）。すなわち、硬質線１１の外径Ｄ１ｍが低減されていること、及び、軟質層が存在していることによって、抗張力性、及び、抗圧縮力性に優れるのみならず、曲げ易いケーブルを作製できる。
また、硬質線１１と軟質線１２とが樹脂１３で一括に被覆されて硬質線１１と軟質線１２とが一体的に固定されるので、テンションメンバ１０に外力が加わった時に、硬質線１１と軟質線１２とが実質的な一体物として機能できる。これにより、テンションメンバの許容張力は、硬質線１１の許容張力と軟質線１２の許容張力との和に近い値となるので、テンションメンバ１０は、各線の抗張力性が反映された充分な抗張力性を有する。
【００２０】
また、テンションメンバ１０によれば、どの方向に向けて曲げようとしても、硬質線１１の内側及び外側には可撓性の高い軟質線１２からなる軟質層が配置されているので、曲げ方向に関わらず曲げ易いケーブルを作製できる。
【００２１】
各外径は用途に応じて適宜変更できるが、ＡＲＩＢ規格に準拠したＨＤＴＶ方式カメラ用ケーブルのためのテンションメンバとする場合には、以下の範囲を好適に例示できる。
Ｄ１ｍ：０．２５ｍｍ〜２．００ｍｍ
Ｔ１ａ：０．０１５ｍｍ〜１．００ｍｍ
Ｔ１ｒ：０．０１ｍｍ〜１．００ｍｍ
Ｄ１ｍが上記範囲を下回ると、充分な許容張力が得られず、抗張力性に劣る傾向となる。Ｄ１ｍが上記範囲を超えると、曲げ剛性が高すぎ、曲げにくくなる。
Ｔ１ａが上記範囲を下回ると、充分な許容張力が得られず、抗張力性に劣る傾向となる。Ｔ１ａが上記範囲を超えると、硬質線１１と軟質線１２との間で滑りが生じやすくなり、他の通信機器に接続するためのコネクタの取り付けが難しくなる。
Ｔ１ｒが上記範囲を下回ると、樹脂被覆方法として広範に知られている押し出し加工法によって、硬質線１１と軟質線１２とを一括に被覆することが困難となる。Ｔ１ｒが上記範囲を超えると、他の通信機器に接続するためのコネクタの取り付けが難しくなる。
【００２２】
なお、図５の概略断面図に示すように、アラミド繊維（エンジニアプラスチック繊維の一例）からなる線３２のみを樹脂３３で被覆してなるテンションメンバ３０は、圧縮方向の強度が低い。よって、テンションメンバ３０が使用されたケーブルは、抗圧縮力性をほとんど有さないので、圧縮力を受けると、伝送損失が増大するという不具合が生じるものと考えられる。
【００２３】
本発明の第二実施形態に係るテンションメンバ１００は、図２の概略断面図に示すように、硬質線１０１と軟質線１０２とが、樹脂１０３により並設配置されている。このような構成によっても、引張り力に対して耐性が高い軟質線１０２が存在することによって、充分な抗張力性を確保するために必要とされた鋼線２１（硬質線）の外径ｄｍ（図４参照）を外径Ｄ２ｍに低減できる（Ｄ２ｍ＜ｄｍ）。すなわち、硬質線１０１の外径Ｄ２ｍが従来に比して低減されていること、及び、高い可撓性を有する軟質線１０２が存在していることによって、抗張力性、及び、抗圧縮力性に優れるのみならず、曲げ易いケーブルを作製できる。
【００２４】
硬質線１０１の外径Ｄ２ｍと軟質線１０２の外径Ｄ２ａとの比（Ｄ２ｍ／Ｄ２ａ）は、用途に応じて適宜変更できるが、抗張力性・抗圧縮力性と、曲げ易さとの両立を鑑みて、０．５〜１．２であるのが好ましい。
【００２５】
各外径及び厚さは用途に応じて適宜変更できるが、以下の範囲を好適に例示できる。ここで、硬質線１０１に被覆される樹脂の厚さをＴ２ｒｍ、軟質線１０２に被覆される樹脂の厚さをＴ２ｒａとする。
Ｄ２ｍ：０．２５ｍｍ〜２．００ｍｍ
Ｄ２ａ：０．２０ｍｍ〜４．００ｍｍ
Ｔ２ｒｍ：０．１０ｍｍ〜１．００ｍｍ
Ｔ２ｒａ：０．１０ｍｍ〜１．００ｍｍ
【００２６】
本発明の実施形態に係るテンションメンバにおいて、金属線としては、公知のものをいずれも使用できるが、鋼線、鋼線が亜鉛で被覆されてなる亜鉛被覆鋼線、ステンレス線等を好適に挙げることができる。
また、ＦＲＰ線とは、ＦＲＰを線状としたものであり、ＦＲＰとしては、公知のものをいずれも使用できるが、ガラス繊維及びアラミド繊維から選択される繊維とポリエステル及びポリカーボネートから選択される樹脂とが組み合わされてなるＦＲＰ等を好適に挙げることができる。
エンジニアプラスチック繊維としては、公知のものをいずれも使用できるが、アラミド繊維等を挙げることができる。特に、アラミド繊維は、繊維形状であることに起因する高可撓性と、引張り力に対する高い耐性とを両立するので、好ましい。
樹脂としては、公知のものをいずれも使用できるが、ポリエチレン、フッ素系樹脂、難燃ポリエチレン等を好適に挙げることができる。
【００２７】
本発明の実施形態に係るケーブルは、前記した本発明の実施形態に係るテンションメンバと伝送線とが組み合わされてなる。伝送線としては、被覆光ファイバ心線、光コード、ナイロン心線、ポリエステル心線等を挙げることができる。このような構成によれば、本発明に係るテンションメンバが使用されるので、抗張力性、及び、抗圧縮力性に優れ、曲げ易いケーブルとすることができる。
【００２８】
被覆光ファイバ心線は、ガラスファイバを樹脂で被覆してなる線を意味し、公知のものを制限なく使用できる。ここで、通常、ガラスファイバの引張り強度は高く、曲げ強度は低いので、樹脂によって外圧から保護されてはいるものの、被覆光ファイバ心線が過度の外圧を受けると、ガラスファイバの意図しない変形によって、光伝送特性が劣化又は破断する虞れが生じる。しかし、本発明の実施形態に係るケーブルによれば、被覆光ファイバ心線に過度の外圧を与える虞れを低減できるので、光伝送特性の劣化を抑制できる。
【００２９】
本発明の実施形態に係るＨＤＴＶ方式カメラ用ケーブル５０（以下、単に、カメラ用ケーブルともいう）は、図３の概略断面図に示すように、本発明の第一実施形態に係るテンションメンバ１０の外周面に沿って、２本の被覆光ファイバ心線１４と、４本の電源線１５と、２本の制御線１６とを、配設するとともに、これらの線を一体とするべく外部被覆１７によって被覆してなる。ここで、２本の被覆光ファイバ心線１４、２本の制御線１６は、それぞれ、テンションメンバ１０を介して対向するように配置されている。また、４本の電源線１５は、被覆光ファイバ心線１４と制御線１６との間に位置している。テンションメンバ１０を中心とする、被覆光ファイバ心線１４、電源線１５及び制御線１６のこのような配列は、ＡＲＩＢの規格に準拠した配列である。
【００３０】
被覆光ファイバ心線１４、電源線１５及び制御線１６は、いずれも公知のものを制限なく使用できるが、電源線１５及び制御線１６としては、軟銅撚線、錫めっき軟銅撚線等を好適に挙げることができる。また、外部被覆１７としては、公知のものをいずれも使用できるが、ポリエチレン、難燃ポリエチレン、ポリウレタン、難燃ポリウレタン等を好適に挙げることができる。
【００３１】
カメラ用ケーブル５０は、テンションメンバ１０が使用されており、抗張力性、及び、抗圧縮力性に優れているので、被覆光ファイバ心線１４、電源線１５、及び、制御線１６が、断線を引き起こす虞れはない。
【００３２】
また、カメラ用ケーブル５０は、テンションメンバ１０が使用されることにより曲がり易いことから、カメラ用ケーブル５０がテレビカメラの移動に対して柔軟に追従でき、カメラマンの作業性を良好なものにできる。さらに、カメラ用ケーブル５０の巻回状態を維持しやすいので、巻回によるサイズの低減化が容易である。よって、カメラ用ケーブル５０を使用しない場合などにおいて、ケーブルの両端の接続を解除し、ケーブルを巻回状態で保管をすることを容易に実施できる。また、ケーブルが柔軟であり敷設箇所に段差（凹凸）があっても、ケーブルは凹凸にならうため、敷設したケーブルが歩行の邪魔になりにくい。
【００３３】
また、カメラ用ケーブル５０は、取り扱い上の観点から、カメラや通信機器に対して脱着可能とされるのが好ましい。これを目的として、カメラ用ケーブル５０の末端にコネクタを取り付けようとする場合、テンションメンバ１０は、硬質線１１と軟質線１２とが樹脂１３で一括に被覆されてなるので、テンションメンバ１０を伝送線（被覆光ファイバ心線１４，電源線１５，制御線１６）から遠ざけることによって、あるいは、テンションメンバ１０を所定距離で切断することによって、被覆光ファイバ心線１４、電源線１５、及び、制御線１６からなるそれぞれの領域と、テンションメンバ１０の硬質線１１及び軟質線１２からなる領域とを容易に隔離できる。よって、硬質線１１及び軟質線１２に阻害されることなく、テンションメンバ１０、被覆光ファイバ心線１４、電源線１５、及び、制御線１６のそれぞれにおける末端加工を容易に実施できる。
【００３４】
また、テンションメンバ１０を所定距離で切断しようとする場合、軟質線１２の材質がアラミド繊維のように切断しにくいものであっても、硬質線１１が切断刃に対する台座となって、軟質線１２の切断をより容易に実施できる。
【００３５】
前記実施形態では、本発明の第一実施形態に係るテンションメンバ１０が使用されたＨＤＴＶ方式カメラ用ケーブル５０を例示したが、硬質線からなる領域と軟質線からなる領域とを隔離した方がケーブルの末端加工がさらに容易となる場合においては、テンションメンバ１０に代えて本発明の第二実施形態に係るテンションメンバ１００（図２参照）を使用できる。このような構成によれば、硬質線１０１と軟質線１０２とが、樹脂１０３により並設配置されているので、硬質線１０１からなる領域と軟質線１０２からなる領域とを隔離できるので、硬質線１０１と軟質線１０２の特質に合わせた末端加工を別々に実施することが容易である。
【００３６】
【実施例】
以下、本発明の詳細を実施例を用いて説明するが、本発明はこれに限定されるものではない。
実施例１，比較例１〜３のテンションメンバを表１に基づいて作製する。
実施例１のテンションメンバは、テンションメンバ１０の構成（図１参照）に準ずる。比較例１及び２のテンションメンバは、テンションメンバ２０の構成（図４参照）に準ずる。比較例３のテンションメンバは、テンションメンバ３０の構成（図５参照）に準ずる。
【００３７】
【表１】
2004014263.tif 000003
【００３８】
【表２】
2004014263.tif 000004
【００３９】
【表３】
2004014263.tif 000005
【００４０】
表中、硬質線の構成の欄において、“７／０．３６”とは、直径０．３６ｍｍの素線を７本撚った撚線を意味し、“１９／０．３６”とは、直径０．３６ｍｍの素線を１９本撚った撚線を意味する。
【００４１】
表中の曲げ易さの評価は、以下に準ずる。
○：曲げ剛性が低く、巻回状態を保持し易く、巻取作業性がよい。
×：曲げ剛性が高すぎ、巻回状態を保持しづらく、巻取作業性が悪い。
【００４２】
表に示すように、実施例１のテンションメンバは、許容張力が４４１．３（Ｎ）であり、ＨＤＴＶ方式カメラ用ケーブルに使用されるテンションメンバとして適当な「許容張力が３９２（Ｎ）以上」の条件を満足することから、充分な抗張力性を有する。また、実施例１のテンションメンバは、曲げ剛性が低く、曲げ易い。なお、用途によって、許容張力の上記下限値は下がり得る。
【００４３】
一方、比較例１のテンションメンバは、抗張力性には優れるものの、曲げ剛性が高すぎ、曲げにくい。比較例２のテンションメンバは、抗張力性に劣る。比較例３のテンションメンバは、曲げ易いが、抗張力性に劣る。
【００４４】
また、実施例及び比較例１のテンションメンバは抗圧縮力性が高く、これらのテンションメンバと被覆光ファイバ心線とが組み合わされてなるケーブルが圧縮力を受けても、光伝送率の劣化は起こりにくいが、比較例３のテンションメンバは抗圧縮力性が低く、これらのテンションメンバが使用されたケーブルは、圧縮力を受けると、光伝送率の劣化が頻発する。
【００４５】
【発明の効果】
本発明によれば、抗張力性、及び、抗圧縮力性に優れ、曲げ易く、末端加工が容易なケーブルを得ることのできるテンションメンバ、これを用いたケーブル及びＨＤＴＶ方式カメラ用ケーブルを提供できる。
【図面の簡単な説明】
【図１】本発明の第一実施形態に係るテンションメンバの概略断面図である。
【図２】本発明の第二実施形態に係るテンションメンバの概略断面図である。
【図３】本発明の実施形態に係るＨＤＴＶ方式カメラ用ケーブルの概略断面図である。
【図４】従来のテンションメンバの概略断面図である。
【図５】比較用のテンションメンバの概略断面図である。
【符号の説明】
１０，２０，３０，１００　テンションメンバ
１１　硬質線
１２　軟質線
１３，１０３　樹脂
１４　被覆光ファイバ心線
１５　電源線
１６　制御線
５０　ＨＤＴＶ方式カメラ用ケーブル
【図１】
2004014263.tif 000006
【図２】
2004014263.tif 000007
【図３】
2004014263.tif 000008
【図４】
2004014263.tif 000009
【図５】
2004014263.tif 000010